(57)【要約】      （修正有）【課題】枠材を天井側に取り付けた状態でも膜材のテンションを調整することができる膜天井を提供する。【解決手段】膜天井は、矩形状の枠部と、枠部の対向する二辺に設け、軸部３ｂを枠内側に向け突出させた締結部３と、軸部３ｂに設け、締結部３を回転させることができる調整部７と、軸部３ｂの調整部７よりも先端側に弾性部８を介して取り付け、調整部７の回転により枠内外方向に移動する膜固定部４と、膜固定部４に、端部を固定して、枠部の下面側に張設した不燃性の膜部と、を備える。【選択図】図２
2015197005.tif 000002
【特許請求の範囲】
【請求項１】
矩形状の枠部と、該枠部の対向する二辺に設け、軸部を枠内側に向け突出させた締結部と、該軸部に設け、該締結部を回転させることができる調整部と、該軸部の該調整部よりも先端側に弾性部を介して取り付け、該調整部の回転により枠内外方向に移動する膜固定部と、該膜固定部に、端部を固定して、枠部の下面側に張設した不燃性の膜部と、を備えた膜天井。
【請求項２】
前記膜固定部に、枠外側に向かい張り出し、前記膜固定部と前記枠部との隙間を覆う隠蔽部を設けた請求項１に記載の膜天井。
【請求項３】
前記枠部に、枠内側に突出し、前記膜固定部の頭部に当接する当接片を設けた請求項１又は２に記載の膜天井。
【請求項４】
前記調整部は、六角柱状に形成した請求項１〜３のいずれかに記載の膜天井。
【請求項５】
前記弾性部は、バネである請求項１〜４のいずれかに記載の膜天井。
【請求項６】
請求項１〜５のいずれかに記載の膜天井を用い、経時変化による前記膜部の弛みを前記調整部を回転させて調整する膜天井の調整方法。
【発明の詳細な説明】
【技術分野】
【０００１】
本発明は、不燃性の膜材を張設して天井面を形成する膜天井に関する。
【背景技術】
【０００２】
従来、体育館、ホール、空港などの建築物の天井面は、躯体の天井側から吊りボルトなどを吊り下げ、その下端部に枠材を固定し、枠材にボードなどの板材を取り付けて形成されるものがある。このような天井面は、地震などの大きな揺れにより板材が崩落する可能性があり、構造躯体に損傷がなくとも内部空間で人命が危険に曝されるおそれがある。また、避難場所であるべき体育館が板材の崩落により使用できなくなるおそれもある。
【０００３】
そこで、近年では、安全性などの観点から天井を形成するために膜材を張設した膜天井が注目されている。膜天井は、ガラス繊維シートなどの膜材で天井面を形成するため、天井面が崩落するおそれがない。
従来の膜天井としては、例えば、縦枠と横枠で形成した枠体の下面に、シートを張り付けた天井パネルであって、縦枠内にシートの側縁部を保持する中子を挿入し、中子を、スプリングを介在させてねじ杆で縦枠に固定し、シートを張り付ける方向へ引付け可能にしたシート張り天井パネルがある（下記特許文献１参照）。
【０００４】
また、天井膜材の端部に定着棒材を取り付け、この定着棒材を天井近傍に固定された支持具に係止させて天井膜材を所定テンションで展張させ、天井面を構成する膜天井構造がある（下記特許文献２参照）。
【先行技術文献】
【特許文献】
【０００５】
【特許文献１】実開平３−９３５１０号公報
【特許文献２】特開２００３−２５３８０６号公報
【発明の概要】
【発明が解決しようとする課題】
【０００６】
このような従来の膜天井は、枠材などに膜材を張設した後に天井側に取り付けるものであり、天井側に取り付けた後、膜材にしわなどが発見された場合は、枠材を取り外してから再度膜材を張り直さなければならない。また、膜材のテンションを微調整したい場合にも、天井側から枠材を取り外して調整し、再度取り付けてから膜材の張り具合を確認しなければならず、作業性に問題があった。
【０００７】
そこで、本発明の目的は、枠材を天井側に取り付けた状態でも膜材のテンションを調整することができる膜天井を提供することにある。
【課題を解決するための手段】
【０００８】
本発明の膜天井の一形態は、矩形状の枠部と、該枠部の対向する二辺に設け、軸部を枠内側に向け突出させた締結部と、該軸部に設け、該締結部を回転させることができる調整部と、該軸部の該調整部よりも先端側に弾性部を介して取り付け、該調整部の回転により枠内外方向に移動する膜固定部と、該膜固定部に、端部を固定して、枠部の下面側に張設した不燃性の膜部と、を備えたことを特徴とする。
【０００９】
上記形態の膜天井は、調整部を回転させることにより膜固定部を移動させることができるので、膜天井を施工した後でも枠部を天井側から取り外すことなく、調整部を回転させることにより膜部のテンションを調整することができる。
【００１０】
上記形態の膜天井において、膜固定部に、枠外側に向かい張り出し、膜固定部と枠部との隙間を覆う隠蔽部を設けることができる。このようにすることにより、調整部が外側から見えにくくなり、外観的に優れたものになる。
【００１１】
上記形態の膜天井において、枠部に、枠内側に突出し、膜固定部の頭部に当接する当接片を設けることができる。このようにすることにより、弾性部により膜固定部が斜め上方に向くことを制限することができる。
【００１２】
上記形態の膜天井において、調整部を六角柱状に形成することができる。このようにすることにより、調整部をスパナなどの工具で回転させることができる。
【００１３】
上記形態の膜天井において、弾性部をバネとすることができる。このようにすることにより、膜部にテンションが掛かり膜部が平滑面になりやすい。
【００１４】
上記形態の膜天井を用い、経時変化による膜部の弛みを調整部を回転させて調整する膜天井の調整方法を提案することができ、時間と共に膜部が弛み始めても、枠部を天井側から取り外すことなく、調整部を回転させることにより膜部のテンションを調整することができる。
【図面の簡単な説明】
【００１５】
【図１】本発明の一実施形態の膜天井の一部分を示した斜視図である。
【図２】図１の膜天井の一区画を示した縦断面図である。
【図３】図１の膜天井の一区画を示した横断面図である。
【図４】図１の膜天井の構成部品である膜固定部を示した斜視図である。
【図５】図１の膜天井の構成部品であるホルダー部を示した斜視図である。
【図６】図１の膜天井の構成部品である膜部の一部分を示した斜視図である。
【図７−１１】図１の膜天井の取付手順の一例を示した図である。
【発明を実施するための形態】
【００１６】
以下、本発明の一実施形態の膜天井を説明する。但し、本発明は、この実施形態に限定されるものではない。
【００１７】
本発明の一実施形態の膜天井１は、図１〜図３に示すように、枠部２と、締結部３と、膜固定部４と、膜部５とを備える。
【００１８】
枠部２は、本実施形態では、矩形枠状に形成し、開口部の下面側に膜部５を張設できるように形成してあり、また、建築物の天井側から吊り下げた吊りボルトなどに取り付けできるように形成してある。
枠部２は、図１〜図３に示すように、断面中空矩形状の長尺材からなる縦枠２ａ及び横枠２ｂを連結して複数の矩形開口部を有する形状に形成してあり、縦枠２ａ及び横枠２ｂは、各隅部にＬ型金具を用いて連結することができる。枠部２は、複数区画を形成してあるが、一区画のみを設けるようにしてもよい。
縦枠２ａ及び横枠２ｂの両側面の下方寄りには、図２又は図３に示すように、長手方向に開口したリップ溝２ｄが設けてあり、締結部３の頭部３ａを挿入して締結部３を取付けできるようにしてある。リップ溝２ｄの開口の一部箇所は、円形状に拡張させて形成し、締結部３の頭部３ａをリップ溝２ｄ内に挿入できるようにしてある。
縦枠２ａ及び横枠２ｂの上面には、長手方向に開口したリップ溝２ｃが設けてあり、ボルトなどの締結部材の頭部を挿入して躯体の天井面などから吊り下げたハンガー部６に固定できるようにしてある。ハンガー部６は、図３に示すように、天井面から吊り下げた吊りボルト６ａと、断面コの字状の金具６ｂとから形成してあり、金具６ｂの上面を吊りボルトの下端に取り付け、金具６ｂの下面に枠部２を取り付け可能に形成してある。
【００１９】
締結部３は、本実施形態では、六角柱状の頭部３ａと、頭部３ａと同心に設けた、ねじ山を有する長尺円柱状の軸部３ｂと、から形成してあり、枠部２と膜固定部４とを連結できるように形成してある。
締結部３は、図１などに示すように、枠部２の対向する二辺（本実施形態では各横枠２ｂ）に設けてあり、各横枠２ｂに対して２箇所設けることができる。締結部３は、枠部２の内側（開口部側）に向けて突出するように設けてあり、対向するように配することができる。
頭部３ａは、横枠２ｂのリップ溝２ｄに挿入して回転可能に取り付けることができる。
軸部３ｂの頭部３ａ寄りには、調整部７が設けてあり、調整部７を回転させることにより締結部３が回転できるようにしてある。調整部７は、軸部３ｂと同心の六角柱状に形成することが好ましい。
締結部３は、例えば、六角ボルトの軸部に六角ナットを溶接や接着剤などで固着することにより形成することができる。
【００２０】
膜固定部４は、本実施形態では、断面を矩形状とした、枠部２の開口部の幅と略同じ長さの長尺材から形成してあり、締結部３に取り付けでき、また、膜部５の端部を固定できるように形成してある。
膜固定部４は、図４に示すように、一方の側面部４ａの上方寄りに長手方向に延びるリップ溝４ｃを形成し、他方の側面部４ｂの上方寄りに膜固定部４の幅に対して半分程の深さに凹ませた断面矩形状の凹状溝４ｄを長手方向に沿い形成してある。リップ溝４ｃの奥底面４ｅには、円形状の孔部４ｆが形成してあり、締結部３の軸部３ｂをリップ溝４ｃの開口及び孔部４ｆに挿し通して、膜固定部４を枠部２に連結し、枠内外方向（近接の横枠２ｂに対して接近又は離反する方向）に移動できるようにしてある。また、凹状溝４ｄには弾性部８の一端部側を納めることができる。弾性部８としては、バネ、ゴムなど弾性変形する部材を用いることができ、膜固定部４を近接の横枠２ｂ側に付勢し、膜部５に張力を掛けることができるものであればよい。弾性部８は、具体的には、コイルバネ、Ｖ字バネ、円筒形状のゴムなどを用いることができる。
【００２１】
側面部４ａの下縁部には、この下縁部に沿い横方向に張り出す板状の隠蔽部９を形成することができる。
隠蔽部９は、側面部４ａの下縁部から斜め上方に突出し、先端部を垂下させた形状としてある。また、側面部４ａの下縁部寄りには、下方が開口した断面逆Ｊ字状の係止部４ｇが長手方向に沿い形成してある。
【００２２】
膜固定部４は、図２に示すように、締結部３の軸部３ｂをリップ溝４ｃ側から孔部４ｆに挿し通し、軸部３ｂに、弾性部８を介してナットなどの締結部材１０で締結することにより枠部２に固定できる。
膜固定部４を枠部２に固定する際には、弾性部８と締結部材１０の間にホルダー部１１を介してもよい。
【００２３】
ホルダー部１１は、締結部材１０の回転及び脱落を防止することができるものであり、本実施形態では、図５に示すように、断面コ字状の板材から形成してあり、上面及び下面がやや窄まるように形成して膜固定部４の上面及び下面の外側に圧入できるようにしてある。ホルダー部１１の側面には円形状の孔部１１ａが形成してあり、軸部３ｂを挿し通せるようにしてある。孔部１１ａの両側には、切り起こして形成した所定の高さの囲い部１１ｂが対面するように形成してあり、囲い部１１ｂの間に締結部材１０を位置させて回転しないようにすることができる。また、ホルダー部１１の側面には、フック部１１ｃが設けてある。フック部１１ｃは、長方形状板材の両端部を段違い状に折り曲げた形状としてあり、一端部側をホルダー部１１の側面上に回転可能に固定し、他端部側を側方からＵ字状に切り欠き、回転させることにより軸部３ｂが出入できるように形成してある。囲い部１１ｂ及びフック部１１ｃで締結部材１０を囲むことにより、締結部材１０の脱落を防止できる。
【００２４】
膜部５は、図１又は図２に示すように、枠部２の開口部下面側に張設して天井面を形成することができ、本実施形態では、膜材５ａの両端部に係止部材５ｂを備え、膜固定部４に係止できるようにしてある。膜材５ａは、例えば、ガラス繊維シート、ガラス繊維樹脂被膜シートなど不燃性シートから形成することができる。膜材５ａは、枠部２の一区画の開口部の大きさよりもやや縦長に形成することが好ましく、特に限定するものではないが、縦１ｍ〜３ｍ、横１ｍ〜３ｍに形成することができる。
係止部材５ｂは、図６に示すように、膜材５ａの幅と略同じ長さとした断面Ｌ字状の長尺材からなり、一面側を幅狭の挟持面５ｃ、他面側を幅広の係止面５ｄとしてある。挟持面５ｃの長手縁部には、挟持部５ｅが形成してあり、膜材５ａの端部を挟み込み、かしめるなどして固定できるようにしてある。係止面５ｄの長手縁部には、挟持面５ｃとは反対向きに突出した係合突部５ｆが形成してあり、膜固定部４の係止部４ｇに係止できるようにしてある。
【００２５】
膜部５を膜固定部４に取付ける際には、膜部５の端部を隠蔽部９に巻き付けるように折り返し、係止部材５ｂを隠蔽部９の上面側に回し込み、係合突部５ｆを係止部４ｇに係止することにより取り付けることができる。係止部材５ｂは、係合突部５ｆが係止部４ｇに係止し、挟持面５ｅと係止面５ｄとの角部が隠蔽部９の先端部に当接するため抜けにくいものである。
本実施形態では、膜固定部４に膜部５の係止部材５ｂを係止する構成としてあるが、膜固定部４に膜部５の端部を、ねじなどの締結部材を用いて固定する構成や接着剤などにより固着する構成などとしてもよい。
【００２６】
枠部２には、図１に示すように、枠内側に突出し、膜固定部４の頭部に当接する当接片１２を設けることができる。当接片１２を設けることにより、弾性部８の付勢力によって膜固定部４が上方に反らされることを防ぐことができる。
本実施形態では、当接片１２は、断面コの字状に折り曲げた板材からなり、横枠２ｂの中間部付近に枠内側に両先端部が突出するように設け、下縁部が膜固定部４の頭部（本実施形態では上面）に当接するように配することにより、膜固定部４が上方に反り斜めになることを防止できる。
【００２７】
膜天井１を用いて天井面を施工する手順の一例を以下に示す。
枠部２を、図７に示すように、躯体の天井側に水平に配する。この際、ハンガー部６を介して吊架することや壁面などに締結部材などで直接固定すること等ができる。
次に、図８に示すように、締結部３の頭部３ａを、枠部２のリップ溝２ｄに拡張部分から挿し込みスライドさせて締結部３を所定位置に配する。図９に示すように、締結部３の軸部３ｂに膜固定部４の孔部４ｆにリップ溝４ｃ側から挿し通す。そして、軸部３ｂにコイルバネなどの弾性部８、ホルダー部１１、ナットなどの締結部材１０の順に挿し通し、締結部材１０をホルダー部１１の囲い部１１ｂの間に位置させ、フック部１１ｃを回転させて締結部材１０を覆うようにする。
膜部５の両端部に備えた係止部材５ｂを、図１０に示すように、膜材５ａを弛ませた状態で各膜固定部４の係止部４ｇに係止させる。
図１１に示すように、枠部２と隠蔽部９との隙間にラチェット式スパナなどの工具１３を挿し込み、調整部７を回転させる。これにより、膜固定部４は枠外向きに移動する。調整部７を適宜回転させることにより膜部５を適切なテンションで張設することができる。
他の区画も、上記のとおり施工することにより、天井面全体を形成することができる。
【００２８】
膜天井１は、枠部２と隠蔽部９との隙間にラチェット式スパナなどの工具１３を挿し込み、調整部７を回転させることのより膜部５のテンションを調整できるので、枠部２を天井側に取り付けた状態で膜部５のテンションを調整することができる。
よって、枠部２を天井側に取り付けた状態でも膜部５のテンションを調整することができ、作業性が向上する。また、経時変化により膜部５が弛み始めても、枠部２を天井側から取り外すことなく、調整部７を回転させることにより膜部５のテンションを調整することができる。
【符号の説明】
【００２９】
１…膜天井
２…枠部
２ａ…縦枠
２ｂ…横枠
２ｃ…リップ溝
２ｄ…リップ溝
３…締結部
３ａ…頭部
３ｂ…軸部
４…膜固定部
４ａ…側面
４ｂ…側面
４ｃ…リップ溝
４ｄ…凹状溝
４ｅ…奥底面
４ｆ…孔部
４ｇ…係止部
５…膜部
５ａ…膜材
５ｂ…係止部材
５ｃ…挟持面
５ｄ…係止面
５ｅ…挟持部
５ｆ…係合突部
６…ハンガー部
６ａ…吊りボルト
６ｂ…金具
７…調整部
８…弾性部
９…隠蔽部
１０…締結部材
１１…ホルダー部
１１ａ…孔部
１１ｂ…囲い部
１１ｃ…フック部
１２…当接片
１３…工具
【図１】
2015197005.tif 000003
【図２】
2015197005.tif 000004
【図３】
2015197005.tif 000005
【図４】
2015197005.tif 000006
【図５】
2015197005.tif 000007
【図６】
2015197005.tif 000008
【図７】
2015197005.tif 000009
【図８】
2015197005.tif 000010
【図９】
2015197005.tif 000011
【図１０】
2015197005.tif 000012
【図１１】
2015197005.tif 000013
【手続補正書】
【提出日】平成27年2月20日(2015.2.20)
【手続補正１】
【補正対象書類名】特許請求の範囲
【補正対象項目名】請求項１
【補正方法】変更
【補正の内容】
【請求項１】
天井側に取り付けた矩形状の枠部と、該枠部の対向する二辺に設け、軸部を枠内側に向け突出させた締結部と、該軸部に設け、該枠部を天井側に取り付けた状態で該締結部を回転させることができる調整部と、該軸部の該調整部よりも先端側に弾性部を介して取り付け、該調整部の回転により枠内外方向に移動する膜固定部と、該膜固定部に、端部を固定して、枠部の下面側に張設した不燃性の膜部と、を備えた膜天井。
【手続補正２】
【補正対象書類名】明細書
【補正対象項目名】０００８
【補正方法】変更
【補正の内容】
【０００８】
本発明の膜天井の一形態は、天井側に取り付けた矩形状の枠部と、該枠部の対向する二辺に設け、軸部を枠内側に向け突出させた締結部と、該軸部に設け、該枠部を天井側に取り付けた状態で該締結部を回転させることができる調整部と、該軸部の該調整部よりも先端側に弾性部を介して取り付け、該調整部の回転により枠内外方向に移動する膜固定部と、該膜固定部に、端部を固定して、枠部の下面側に張設した不燃性の膜部と、を備えたことを特徴とする。